(57)【要約】【課題】商品の陳列状態を維持したまま商品の近傍に簡単に設置することができ、且つ、商品の広告面積を十分に確保することができる商品表示体を提供する。【解決手段】商品表示体１は、陳列台２９の棒材３１に挿通するための穴を有する背面部３及びこの背面部３の内側に着脱自在に配置された背面差し替え部１３と、背面部３の両側端から略直角に棒材３１の自由端側へ延びる一対の側面部５、７と、側面部５、７から上方に延び外側の棒材３１に係止される係止部９、１１と、側面部５、７の先端部に着脱自在に設けられた延長部１５、１７を有しており、背面差し替え部１３の前面、側面部５、７の外面、延長部１５、１７の内外面には商品３５についての広告が表示されている。【選択図】図４
0003120799.tif 000002
【実用新案登録請求の範囲】
【請求項１】
一端部を支持され略水平方向に間隔をおいて複数配置された商品陳列用の棒材に対し、この棒材に挿通するための穴を有する背面部と、この背面部の両側端から略直角に前記棒材の自由端側へ延びる一対の側面部と、これらの側面部にそれぞれ一体に設けられ前記側面部の外側に位置する棒材に係止可能な係止部とを有し、前記背面部及び前記両側面部のうちの少なくとも一つに、前記背面部に挿通された棒材に吊るされて陳列される商品又は前記背面部と前記両側面部とにより囲まれるスペースに置かれて陳列される商品の広告が表示されていることを特徴とする、シート材から構成された商品表示体。
【請求項２】
請求項１記載の商品表示体において、
前記一対の側面部のうち少なくとも一方の前記棒材の自由端側先端部に、商品の公告を表示した延長部が着脱自在に設けられていることを特徴とする商品表示体。
【請求項３】
請求項１又は２記載の商品表示体において、
前記背面部の内側にこの背面部と重なる状態に、商品の公告を表示した背面差し替え部が着脱自在に設けられていることを特徴とする商品表示体。
【請求項４】
請求項１乃至３のうちのいずれかに記載の商品表示体において、
前記背面部に挿通される棒材が複数本であることを特徴とする商品表示体。
【請求項５】
請求項１乃至４のうちのいずれかに記載の商品表示体において、
前記背面部の穴と前記係止部の係止位置とが、上下方向に位置が異なる棒材に対応可能に複数段設けられていることを特徴とする商品表示体。
【請求項６】
請求項１乃至５のうちのいずれかに記載の商品表示体において、
前記背面部と前記両側面部とにより囲まれるスペースの底面を覆う底面部が着脱自在に設けられていることを特徴とする商品表示体。
【請求項７】
請求項６記載の商品表示体において、
前記底面部の上面を商品の列間で仕切る仕切り部材を有していることを特徴とする商品表示体。
【請求項８】
請求項１乃至７のうちのいずれかに記載の商品表示体において、
少なくとも前記背面部、前記両側面部及び前記係止部が一枚の紙材で一体に形成されていることを特徴とする商品表示体。
【考案の詳細な説明】
【技術分野】
【０００１】
本考案は、例えば陳列台等において水平方向に間隔をおいて複数配置された棒材に吊り下げられた商品の広告を表示するのに好適な商品表示体に関する。
【背景技術】
【０００２】
ホームセンター等では、陳列台（棚、ケース、壁面等の概念を含む）に複数本の細い棒材（例えば丸い金属棒）を片持ち状態に支持し、これらの棒材に奥行方向に重なる状態に商品を吊り下げて陳列することが行われている。
棒材は水平方向に間隔をおいて複数本配置されており、これらをさらに上下方向に複数段配置したものもある。
商品は、商品を包装したパッケージに形成された穴や鈎溝あるいはフックを介して棒材に吊り下げられている。
陳列スペースを効率的に使用するために、商品は商品間（特に左右方向）の間隔が非常に狭い状態で配置されている。
特許文献１には、１本の棒材に吊り下げられた商品の情報を表示したネームプレート状の表示部材を、その棒材の前方（自由端側）上部に配置した構成が開示されている。
【特許文献１】特開２００５−４０２１１号公報
【考案の開示】
【考案が解決しようとする課題】
【０００３】
陳列された商品の広告は顧客の注意を引く上で極めて重要であるが、複数の棒材に商品を吊るして陳列する方式では、上述のように商品間の間隔がほとんど無い状態に配置されているため、商品の広告を表示する物を配置するスペースは無いのが実情である。
商品のパッケージ自体も広告媒体としての機能を有しているが、その表示面積は限られており、陳列された状態ではパッケージの側面は隣接する商品に隠れ、実質的にパッケージの前面側のみが広告面積となる。
また、広告では顧客の注意を引くような多様な表現が用いられるが、商品パッケージにおいてはその性質上制約を受ける場合がある。
陳列スペースの領域外に広告表示物を設けるという考えもあるが、商品との距離が離れすぎて広告効果はあまり期待できない。
特許文献１に開示された表示方式では、商品の前方上部に位置するため、商品が隠れない大きさに限定され、広告面積は自ずと小さくならざるを得ない。
【０００４】
そこで、本考案は、従来の陳列状態を維持したまま商品の近傍に簡単に設置することができ、且つ、商品の広告面積を十分に確保することができる商品表示体の提供を、その目的とする。
【課題を解決するための手段】
【０００５】
上記目的を達成するために、本考案は、商品間の僅かな隙間に配置可能なシート材で商品の周りを囲む構成とし、且つ、商品と同様に棒材を利用して支持する構成とし、シート材の側面を広告表示面として利用することとした。
具体的には、請求項１記載の考案は、一端部を支持され略水平方向に間隔をおいて複数配置された商品陳列用の棒材に対し、この棒材に挿通するための穴を有する背面部と、この背面部の両側端から略直角に前記棒材の自由端側へ延びる一対の側面部と、これらの側面部にそれぞれ一体に設けられ前記側面部の外側に位置する棒材に係止可能な係止部とを有し、前記背面部及び前記両側面部のうちの少なくとも一つに、前記背面部に挿通された棒材に吊るされて陳列される商品又は前記背面部と前記両側面部とにより囲まれるスペースに置かれて陳列される商品の広告が表示されていることを特徴とする、シート材から構成された商品表示体である。
【０００６】
請求項２記載の考案は、請求項１記載の商品表示体において、前記一対の側面部のうち少なくとも一方の前記棒材の自由端側先端部に、商品の公告を表示した延長部が着脱自在に設けられていることを特徴とする商品表示体である。
【０００７】
請求項３記載の考案は、請求項１又は２記載の商品表示体において、前記背面部の内側にこの背面部と重なる状態に、商品の公告を表示した背面差し替え部が着脱自在に設けられていることを特徴とする商品表示体である。
【０００８】
請求項４記載の考案は、請求項１乃至３のうちのいずれかに記載の商品表示体において、前記背面部に挿通される棒材が複数本であることを特徴とする商品表示体である。
【０００９】
請求項５記載の考案は、請求項１乃至４のうちのいずれかに記載の商品表示体において、前記背面部の穴と前記係止部の係止位置とが、上下方向に位置が異なる棒材に対応可能に複数段設けられていることを特徴とする商品表示体である。
【００１０】
請求項６記載の考案は、請求項１乃至５のうちのいずれかに記載の商品表示体において、前記背面部と前記両側面部とにより囲まれるスペースの底面を覆う底面部が着脱自在に設けられていることを特徴とする商品表示体である。
【００１１】
請求項７記載の考案は、請求項６記載の商品表示体において、前記底面部の上面を商品の列間で仕切る仕切り部材を有していることを特徴とする商品表示体である。
【００１２】
請求項８記載の考案は、請求項１乃至７のうちのいずれかに記載の商品表示体において、少なくとも前記背面部、前記両側面部及び前記係止部が一枚の紙材で一体に形成されていることを特徴とする商品表示体である。
【考案の効果】
【００１３】
本考案によれば、商品の陳列状態を維持したまま簡単にセットすることができるとともに、商品の広告を表示するための面積を十分に確保することができ、多様な広告を行うことができる。
また、棒材を有する陳列台が無い場合でも平置きで商品を陳列して広告表示することができ、使用場所の状況に応じて使い分けることができる。
【考案を実施するための最良の形態】
【００１４】
以下、本考案の一つの実施の形態を図１乃至図７基づいて説明する。
図１は、本実施形態に係る商品表示体１を分解し、且つ、展開した状態の平面図である。商品表示体１はシート材としての紙材で形成されており、背面部３と、背面部３の両側端から連続して延びる側面部５、７と、側面部５、７の上端から上方へ連続して延びる係止部９、１１と、背面部３の内側に重なる状態に配置される背面差し替え部１３と、側面部５、７の先端部に取り付けられる延長部１５、１７と、底面部１９と、底面部１９の上面に配置される仕切り部材２１等を有している。
【００１５】
図２に示すように、側面部５、７は一点鎖線で示す折り目に沿って内側に略直角に折り曲げられる。係止部９、１１は折り目に沿って外側に折り曲げられ、同様に側面部５、７の先端部も折り目に沿って外側に折り曲げられる。
側面部５、７の先端部には、その折り目に重なるように、上下２箇所に切れ目２３が入れられており、延長部１５、１７はこの切れ目２３にその突片１５ａ、１７ａを差し込んで連結される。
背面部３には、後述する陳列用の棒材を挿通する穴２５が水平方向に間隔をおいて２箇所形成されており、その列が上下に２段形成されている。
【００１６】
背面差し替え部１３にも背面部３に対応して穴２５が形成されており、２枚重ねの状態で棒材に挿通される。穴２５は使用前においてはミシン目が入った状態で塞がれており、棒材を挿通する時に抜けるようになっている。
背面差し替え部１３は、その両側に形成された突片１３ａを背面部３と側面部５、７の境界部上方に形成された凹部２７に差し込むことによって位置決めされる。
背面部３及び背面差し替え部１３の上下２段の穴２５に対応して、係止部７、９には上下２段の係止溝３３が形成されている。
【００１７】
図３は、商品表示体１を陳列台２９（一部のみ表示）にセットした状態を示している。陳列台２９には、水平方向に間隔をおいて片持ち状態で支持された断面円形の複数の棒材３１が配置されている。棒材３１の自由端側先端部は商品の抜け落ちを防止するために上方に折り曲げられている。
背面部３及び背面差し替え部１３を２本の棒材３１がその下側の穴２５を貫くようにセットされており、係止部７、９はそれぞれ下側の係止溝３３をもって側面部５、７の外側に隣接する棒材３１に係止されている。これにより、商品表示体１は４点支持で陳列台２９に安定に支持されている。
陳列台２９における棒材３１の取り付け位置によって、上側の穴２５又は下側の穴２５が選択的に使用され、これに応じて係止溝３３の上下も決まる。
背面差し替え部１３の表面、側面部５、７の外面、延長部１５、１７の内外面には商品の広告が表示されている。
【００１８】
図４は、商品表示体１の内方の２本の棒材３１に商品３５を奥行方向に重なる状態に吊るして陳列した状態を示している。
商品表示体１は薄肉のシート材で形成されているので、商品列間の僅かな隙間に側面部５、７を配置することができ、また、背面部３は商品３５の背面に沿った方向で陳列に影響を与えないので、全体としてこの種の陳列方式において商品の陳列に支障を来たすことなくセットすることができる。
従来の商品前面側における表示方式では、顧客が商品に向かい合う位置にこないとその商品情報は目につきにくく、また、上述のように商品を覆わない大きさが要求されるので、表示面積は商品のパッケージ面積よりも小さくならざるを得ない。
【００１９】
これに対し、本考案に係る商品表示体１は、元々この種の陳列方式ではデッドスペースとなる商品の背面部及び側面部を利用して広告表示面としているので、商品の前面側を覆う問題は無く、広告表示面積を大きくできる。
広告表示面積を大きくできることによって、顧客の目を引き付ける大きな文字や表現が可能となり、その結果、顧客は商品に向かい合う位置に行かなくても離れた位置から商品に対する広告を認識することができる。
【００２０】
延長部１５、１７、背面差し替え部１３は着脱自在であるので、例えば売り出しの時には「大売出し」等の謳い文句を記載した別のものと交換することにより、多様な広告を行うことができる。
勿論、延長部１５、１７は交換可能とせずに側面部１５、１７に連続して設けてもよい。また、背面差し替え部１３を設けずに背面部３にその広告を直接表示するようにしてもよい。
商品表示体１は、１つの陳列台２９に同じ商品３５が陳列される場合には、図５に示すように、商品が多数陳列されることによる視覚的効果を損なわないように、例えばその中央部に１つだけ配置するのが望ましい。
【００２１】
ここまでは、商品表示体１を陳列台２９の棒材３１に挿通してセットし、挿通した棒材３１に商品３５を吊り下げて陳列する使用例を示したが、陳列台２９にセットせずにいわゆる平置きでも使用することができる。
この使用例を図６及び図７に基づいて説明する。図６に示すように、底面部２１は背面側及び両側の端部を折り目に沿って折り曲げられる。
折り目に重なるように、各端部には切れ目３７が入れられており、背面部３の下端に形成された突片３ａ、側面部５、７の下端に形成された突片５ａ、９ａを切れ目３７に差し込んで連結される。
仕切り部材１９は、中央部の４本の折り目（図１参照）に沿って折り曲げることにより、中央部に仕切り壁１９ａが形成されるようになっている。
図７に示すように、底面部２１を連結した後、底面部２１の上面に仕切り部材１９を載せ、仕切り壁１９ａの両側に列を形成するように商品３５を配置する。
この平置き使用では、棒材３１を有する陳列台２９が無い場合でもテーブルスペースがあれば簡単に陳列することができる。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば背面部３に棒材３１を２本挿通する構成としたが、１本挿通する構成としてもよい。この場合でも係止部９、１１を含めた３点支持となるので陳列台２９に対する安定したセット状態を得ることができる。
また、係止部９、１１の係止形状は係止溝３３に限らず穴形状でもよい。
【図面の簡単な説明】
【００２３】
【図１】本考案の実施の形態に係る商品表示体の分解、展開した平面図である。
【図２】組み立て状態を示す斜視図である。
【図３】陳列台にセットした状態を示す斜視図である。
【図４】陳列台にセットし、且つ、商品を陳列した状態を示す斜視図である。
【図５】陳列台における使用状態を示す正面図である。
【図６】異なる使用例における分解斜視図である。
【図７】図６で示した使用例における商品の陳列状態を示す斜視図である。
【符号の説明】
【００２４】
１    商品表示体
３    背面部
５、７    側面部  ９、１１    係止部  １３    背面差し替え部  １５、１７    延長部  １９    仕切る仕切り部材  ２１    底面部  ２５    穴
３１    棒材
【図１】
0003120799.tif 000003
【図２】
0003120799.tif 000004
【図３】
0003120799.tif 000005
【図４】
0003120799.tif 000006
【図５】
0003120799.tif 000007
【図６】
0003120799.tif 000008
【図７】
0003120799.tif 000009